(57)【要約】【課題】頭皮を常に清潔な状態に維持して脱毛を根本的に防止し、頭皮に抗菌性を有する陰イオンを放射することにより、毛根の清潔な状態を維持するだけでなく、毛根を強くして発毛を促進させる温浴用帽子及びその製造方法を提供する。【解決手段】温浴用帽子は、弾性を有し、温浴用温水を収容して保持するために上部が開放された略円筒状又は半球状の温水保持部と、前記温水保持部の下部に連続し、使用者の頭上部に外挿される外挿部とからなり、前記温水保持部及び前記外挿部はシリコン系樹脂により一体的に形成される。【選択図】図１
2006006908.tif 000002
【特許請求の範囲】
【請求項１】
頭皮を清潔な状態に維持するための温浴用帽子であって、
弾性を有し、温浴用温水を収容して保持するために上部が開放された円筒状又は半球状の温水保持部と、
前記温水保持部の下部に連続し、使用者の頭上部に外挿される外挿部とからなり、
前記温水保持部及び前記外挿部はシリコン系樹脂により一体的に形成されることを特徴とする温浴用帽子。
【請求項２】
前記外挿部は前記温水保持部より厚さが薄いことを特徴とする請求項１記載の温浴用帽子。
【請求項３】
前記外挿部の下端部付近の内周面には突条部が設けられることを特徴とする請求項２記載の温浴用帽子。
【請求項４】
前記シリコン系樹脂に、トルマリン粉末、及び前記トルマリン以外の陰イオン特性を有する粉末が混合されることを特徴とする請求項１記載の温浴用帽子。
【請求項５】
前記陰イオン特性を有する粉末はセラミック粉末であることを特徴とする請求項４記載の温浴用帽子。
【請求項６】
前記シリコン系樹脂に玉石粉末又は黄土粉末がさらに添加されることを特徴とする請求項４記載の温浴用帽子。
【請求項７】
前記外挿部を使用者の頭部側に押圧するため、前記外挿部の外側にバンド部がさらに設けられることを特徴とする請求項１乃至６のいずれかに記載の温浴用帽子。
【請求項８】
頭皮を清潔な状態に維持するための温浴用帽子の製造方法であって、
シリコン系樹脂、トルマリン粉末、トルマリン粉末以外の陰イオン特性の粉末を混合する工程と、
円筒状の温水保持部及び使用者の頭上部に外挿される外挿部を形成するための第１及び第２金型を用意する工程と、
前記混合工程で生成された混合物を前記第１及び第２金型間の空間に充填する工程と、
前記温水保持部と前記外挿部の中空部を形成するため、前記第１及び第２金型間の空間にコアを挿入する工程とを含み、
前記コアは、前記温水保持部の厚さが前記外挿部の厚さより厚くなるように、前記温水保持部に対応する部位の直径が前記外挿部に対応する部位の直径より小さく形成され、
前記コアの外周面には、前記外挿部の内周面に突条部が突設されるように、凹溝が形成されることを特徴とする温浴用帽子の製造方法。
【請求項９】
前記シリコン系樹脂、前記トルマリン粉末、前記陰イオン特性の粉末の混合比は、８３〜９４．５重量％：５〜１５重量％：０．５〜２重量％であることを特徴とする請求項８記載の温浴用帽子の製造方法。
【請求項１０】
前記陰イオン特性の粉末はセラミック粉末であることを特徴とする請求項９記載の温浴用帽子の製造方法。
【請求項１１】
前記混合工程において、前記シリコン系樹脂は液状又はゲル状であることを特徴とする請求項９記載の温浴用帽子の製造方法。
【請求項１２】
前記充填工程において、前記シリコン系樹脂は１００〜２００℃に維持されることを特徴とする請求項１１記載の温浴用帽子の製造方法。
【請求項１３】
前記コアを挿入して８〜１０分が経過した後、前記第１及び第２の金型と前記コアを分離する工程をさらに含むことを特徴とする請求項１２記載の温浴用帽子の製造方法。
【発明の詳細な説明】
【技術分野】
【０００１】
本発明は、脱毛防止及び頭皮管理のための温浴用帽子及びその製造方法に関する。より詳しくは、頭皮を清潔な状態に維持して、脱毛を防止し発毛を促進することができる温浴用帽子及びその製造方法に関するものである。
【背景技術】
【０００２】
脱毛症は、毛根の新陳代謝不良、血液循環不良、遺伝的要因、体質的要因、ストレスなどにより発生し、大抵は脳天部位で脱毛現象が多く起こる。
【０００３】
脱毛を予防し或いは治療するためには、脱毛防止剤、発毛剤、毛髪栄養剤を塗布した上で、頭皮マッサージを行わなければならない。その際、マッサージ用ヘアブラシ又は指先の指紋部で頭皮を叩いてマッサージを行うが、脳天の全体にわたって均等にマッサージを行うには長い時間がかかり面倒であるため、マッサージを行うのが大変難しい。
【０００４】
したがって、最近では、先天的及びストレスなどの後天的要因により生じる、頭皮組織、つまり毛嚢の毛細血管の血液循環障害、痒さとともに進行する脱毛を解消するために、発毛を促進するクリニック法が提示されている。
【０００５】
毛髪美容クリニックは、外科的な整形、毛髪移植、又は除毛などの医学的分野を除く美容健康次元のクリニックであって、通常、頭皮クリニックと毛髪クリニックに分けられる。
【０００６】
頭皮クリニックとは、脱毛を予防するとともに発毛を促進するため、頭皮の老廃物である皮脂を除去し、毛嚢虫などを殺虫するように施術することをいい、毛髪クリニックとは、間充物質である蛋白質（植物性）と既存毛髪との結合により、多様な毛質に対して弾力的で艶の強いウェーブを与える施術をいう。
【０００７】
頭皮クリニックにおいては、植物抽出エキスなどの薬剤が含有されたトニングシャンプー、塗抹用ヘアトニックなどを用い、また物理的には頭皮振動マッサージ、高周波殺菌消毒、赤外線照射などを行っている。
【０００８】
一方、毛髪クリニックはパーマに先立って行うのが一般的であるが、Ｃケラチンが含有されたトリートメント剤、ポリペプチド（ＰＰＴ）が含有されたコールド液はもちろん、主剤がチオグリコール酸及びその塩類であり、システイン及びその塩酸塩などを含有するパーマ剤などをシャンプー後の毛髪に塗る方式で施術している。
【０００９】
しかし、このような施術は長い時間がかかるだけでなく、頭皮が損傷した状態で適切な治癒なしで染色又はパーマを繰り返すと、毒素が外部へ排出せずに血液循環を防げ、毛根部のバランスが崩れ、頭皮状態が次第に弱くなって毛孔が塞がり、究極には脱毛に至る。
【００１０】
また、既存のパーマ、染色、脱色は、毛髪損傷及び頭皮損傷（頭皮発疹、頭皮アレルギー、頭皮火傷、頭皮皮膚癌、脱毛）を誘発する。ケラチンが紫外線そのほかの化学薬品により変性すると、アルカリに対する抵抗力がなくなる。特にケラチンである間充物質のＣケラチンは溶けやすい状態に変わる。また、多孔性毛となると、シャンプー時ごとに毛髪中の脂肪分が離脱してしまい、毛髪が次第に乾燥する。
【００１１】
紫外線照射、洗浄剤（石鹸、シャンプー）、薬品（パーマ剤、染色剤、脱色剤、コーティング剤）、直熱器、１００％豚毛のブラシ、ヘアブラシなどにより毛髪が損傷すると、艶が低下し、毛髪が均一でなく縺れる。さらに、細くて弾力が低下し、よく切れ、よく裂ける。
【００１２】
また、パーマ、染色、脱色後には、頭が重くてすっきりせず、頭皮及び毛髪から薬液臭いがする。酷い場合には、頭皮にふけが多く生じ、痒く、毛髪が酷く抜けることもある。そこで、最近、円形脱毛症が増加していると報告されている。
【００１３】
前述したような問題点を解決するための技術の一例として、頭皮マッサージ用指圧ブラシに関するもの（特許文献１）、発毛促進及び血液循環促進装置に関するもの（特許文献２）などがある。
【００１４】
しかし、前記特許文献１及び２に開示された技術は、脱毛の根本的な問題点を解決することができないだけでなく、その装置が複雑で専門クリニックセンターで施術されており、個人的には使用することができないという問題点があった。
【００１５】
また、頭皮の皮膚病及び毛髪損傷がなく、脱毛症予防及び発毛を促進し、蓬の津液の表皮沈着による頭部洗いの不便さを最小にし、蓬の気、遠赤外線及び磁力線が一定の温度及び距離で持続的に頭頂部に照射して、疾病の治療及び予防と健康増進効果を極大化し、セラミックの蓄熱機能で蓬灸時間を最大化し、動いても頭部から離脱しないように頭頂部に固定される蓬灸器に関する技術が特許文献３に開示されている。
【００１６】
図８は、前記特許文献３に開示された「頭部に固定する温灸器」の断面図である。
【００１７】
図８に示す温灸器は、上広下狭のセラミック４の下端の係止段部６に微細目の鉄網７を設置し、その鉄網の上面に蓬塊８を載せ、この蓬塊８を点火させた後、多数のエプロン１２からなる安全キャップ１０をセラミック４に挿着すると、金属板のエプロンが弾支力でセラミック４の内周面と強く密着し、蓬塊８の離脱と揺れを防止する。装着台１の下端の内段部１５には、環状磁石１４と鉄網１３が設けられる。装着台１の上端内壁２にセラミック４の外周面５の外段部９を挿着すると、外周面５も装着台１の内周面に挿入され、安全キャップ１０を結合しセラミック４と装着台１が一体形となる。
【００１８】
装着台１の下端外周面に形成されたフランジ１７の左右に穿孔された締結孔１８に、クリップ１９で伸縮バンド２０を一定の長さに連結して、顔の側面及び顎にかけると、バンドの伸縮力により装着台１が頭部に強く密着するとともに、装着台１に結合したセラミック４も固定される。
【００１９】
尚、図８において、符号３は通気孔、１１は排気孔を示す。
【００２０】
【特許文献１】大韓民国登録実用新案公報第２０−３３８８８２号明細書
【特許文献２】大韓民国公開特許公報第２００２−７７３０１号明細書
【特許文献３】大韓民国公開特許公報第２００１−１１０２５９号明細書
【発明の開示】
【発明が解決しようとする課題】
【００２１】
しかしながら、図８に示す温灸器は、蓬灸の熱気を用いるため、使用者が蓬塊に点火しなければならず、蓬の津液が使用者の頭部に付くため、大変気をつけて使用しなければならない問題点があった。
【００２２】
また、蓬の津液が使用者の頭皮に付く場合、その臭いを除去するため、多数回にかけて洗浄液で毛髪を洗浄しなければならない問題点もあった。
【００２３】
本発明は、上記のような従来技術の問題点に鑑みてなされたもので、その目的は、頭皮を常に清潔な状態に維持して脱毛を根本的に防止することができる温浴用帽子及びその製造方法を提供することにある。
【００２４】
本発明の他の目的は、頭皮に抗菌性を有する陰イオンを放射することにより、毛根の清潔な状態を維持するだけでなく、毛根を強くして発毛を促進させる温浴用帽子及びその製造方法を提供することにある。
【課題を解決するための手段】
【００２５】
本発明の一つの観点によれば、頭皮を清潔な状態に維持するための温浴用帽子であって、弾性を有し、温浴用温水を収容して保持するために上部が開放された円筒状又は半球状の温水保持部と、前記温水保持部の下部に連続し、使用者の頭上部に外挿される外挿部とからなり、前記温水保持部及び前記外挿部はシリコン系樹脂により一体的に形成されることを特徴とする温浴用帽子が提供される。
【００２６】
前記外挿部は前記温水保持部より厚さが薄いことが好ましい。
【００２７】
前記外挿部の下端部付近の内周面には突条部が設けられることが好ましい。
【００２８】
前記シリコン系樹脂に、トルマリン粉末、及び前記トルマリン以外の陰イオン特性を有する粉末が混合されることが好ましい。
【００２９】
前記陰イオン特性を有する粉末はセラミック粉末であることが好ましい。
【００３０】
前記シリコン系樹脂に玉石粉末又は黄土粉末をさらに添加することができる。
【００３１】
前記外挿部を使用者の頭部側に押圧するため、前記外挿部の外側にバンド部をさらに設けることができる。
【００３２】
本発明の他の観点によれば、頭皮を清潔な状態に維持するための温浴用帽子の製造方法であって、シリコン系樹脂、トルマリン粉末、トルマリン粉末以外の陰イオン特性の粉末を混合する工程と、円筒状の温水保持部及び使用者の頭上部に外挿される外挿部を形成するための第１及び第２金型を用意する工程と、前記混合工程で生成された混合物を前記第１及び第２金型間の空間に充填する工程と、前記温水保持部と前記外挿部の中空部を形成するため、前記第１及び第２金型間の空間にコアを挿入する工程とを含み、前記コアは、前記温水保持部の厚さが前記外挿部の厚さより厚くなるように、前記温水保持部に対応する部位の直径が前記外挿部に対応する部位の直径より小さく形成され、前記コアの外周面には、前記外挿部の内周面に突条部が突設されるように、凹溝が形成されることを特徴とする温浴用帽子の製造方法が提供される。
【００３３】
前記シリコン系樹脂、前記トルマリン粉末、前記陰イオン特性の粉末の混合比は、８３〜９４．５重量％：５〜１５重量％：０．５〜２重量％であることが好ましい。
【００３４】
前記陰イオン特性の粉末はセラミック粉末であることが好ましい。
【００３５】
前記混合工程において、前記シリコン系樹脂は液状又はゲル状であることが好ましい。
【００３６】
前記充填工程において、前記シリコン系樹脂は１００〜２００℃に維持されることが好ましい。
【００３７】
前記コアを挿入して８〜１０分が経過した後、前記第１及び第２の金型と前記コアを分離する工程をさらに含むことができる。
【発明の効果】
【００３８】
本発明の温浴用帽子を使用すれば、温水を頭部の中央部に一定時間維持することができるので、頭部の毛孔が開き、皮脂が分泌した頭皮が清潔に維持され、脱毛を防止する効果がある。
【００３９】
また、本発明によれば、温浴用帽子に陰イオン特性の粉末を混合すると、陰イオンの放出により頭部の血流が改善され、血液循環が促進され、毛根が強くなるので、発毛効果が増大される効果がある。
【００４０】
また、本発明の温浴用帽子の製造方法によると、その製造が簡単であるため、安価で大量生産が可能になる効果がある。
【発明を実施するための最良の形態】
【００４１】
まず、本発明の実施形態を説明するに先立ち、本発明に使用される陰イオン放出、及び陰イオンによる抗菌性材質について説明する。
【００４２】
本発明に使用するトルマリン（Tourmaline）は宝石の原料である鉱石であって、主にブラジル、ロシアのウラル地方、中国の雲南省、スリランカ、アフリカ等の地で生産され、主成分はＣａ、Ｋ、Ｎａ、Ａｌ、Ｃｒ、Ｆｅ、Ｌｉ、Ｍｇ、Ｍｎ、Ｓｉであり、７〜７．５の硬度を有し、比重は３．０５、溶融点は１，０５０〜１，１００℃である。トルマリンは、結晶の単位格子のプラス電化の中心とマイナス電化の中心が大きくずれているため、外部応力（圧力又は温度の変化など）により、結晶の両端にプラス電極とマイナス電極が発生して永久電極の性質を保持する。結晶内部の応力の歪みにより発生する電圧は、粉体粒度が小さいほど高圧となる。電極間で発生する高圧電場は、電場内に位置する動植物の細包に微弱な電流が流れるようにし、この電流の波長は４〜１４μｍのいわゆる育成光線と呼ばれる遠赤外線逆波長であり、生物の体内に総合的で合成的に作用して細包の活性化を促進する。
【００４３】
すなわち、トルマリンは、各種文献に既に発表されたように、（１）永久に電気を発生し、（２）空気中にイオン流れを発生させ、（３）水のクラスタを断絶して水をおいしく無害にし、（４）細包を活性化して成長を促進し、（５）新鮮度を維持して新鮮に保存し、（６）血行を促進して生命エネルギーを活性化させるという効能が立証されている。
【００４４】
また、本発明に使用するセラミック粉末は陰イオンを発生する。
【００４５】
以下、前述したようなトルマリンとセラミックを使用した本発明の実施形態について図面を参照しながら説明する。以下の説明において、図面全般にわたって同一部分には同一符号を付し、その反復的な説明は省略する。
【００４６】
図１は本発明による温浴用帽子の使用状態を示す斜視図、図２は本発明による温浴用帽子の断面図、図３は本発明による温浴用帽子の平面図である。
【００４７】
図１に示すように、本発明による温浴用帽子１００は使用者の頭の上部に外挿されて使用される。
【００４８】
すなわち、使用者は、開口部１０１に水温４０℃〜４２℃の温水を充填し、３〜１０分程度温浴することにより、頭皮を清潔な状態に維持することができる。
【００４９】
また、水道水を使用する場合は、水道水に含有された塩素成分がアトピー性疾患又は脱毛の原因となるので、この塩素成分を除去するため、亜硫酸カリウム、ビタミンＣ、又は炭素成分の材料を包装したティーバッグを水道水に浸して塩素成分を除去した後、前記のように温浴を行うことが好ましい。
【００５０】
図２に示すように、温水保持部１１０は弾性を有し、温浴用温水を収容するため、上部に開口部１０１を備えた略円筒状であり、外挿部１２０は温水保持部１１０の開口部１０１の対向部である下部に連続し、使用者の頭上部に被られる。また、突条部１３０は外挿部１２０の下端部の内周に突設される。
【００５１】
図１及び図２に示すように、温水保持部１１０、外挿部１２０、及び突条部１３０は、シリコン系樹脂にトルマリン粉末、陰イオン粉末を混合して一体的に形成する。
【００５２】
本発明による温浴用帽子１００の形状は、使用者の頭部の大きさに応じて多様なサイズに製造することができるが、シリコン系樹脂が弾性を有するので、普通の成人頭部の直径に合うように製造するとよい。
【００５３】
また、図２及び図３に示すように、温水保持部１１０の厚さｔ１は約２ｍｍ、外挿部１２０の厚さｔ２は１ｍｍとする。
【００５４】
温水保持部１１０の厚さを外挿部１２０の厚さより厚くすることは、開口部１０１を介して投入された温水により、温水保持部１１０が膨張して、温水が溢れることを防止するためである。
【００５５】
また、突条部１３０は約１ｍｍの突出高さを有するもので、温水保持部１１０に充填された温水が使用者の顔面に流れることを防止する。
【００５６】
また、必要に応じて、突条部１３０が使用者の頭部に一層密着するように、突条部１３０に対応する、外挿部１２０の外側にバンドを設けて、突条部１３０と使用者の頭部間の密着性を向上させることもできる。
【００５７】
また、本発明による温浴用帽子１００において、温水保持部１１０の長さは約１１０ｍｍ、外挿部１２０の長さは約５０ｍｍとし、突条部１３０は外挿部１２０の下端から約１０ｍｍの位置に設けられる。
【００５８】
前述したように、本発明による温浴用帽子１００の規格を上記のように定めるのは、次の理由による。
【００５９】
通常、脱毛は額部あるいは頭部中央から進行するので、この部分の血流を改善して血液循環を旺盛にし、毛根を強くするため、温浴の対象を額部と頭部中央に集中させる。
【００６０】
したがって、外挿部１２０は使用者の耳後部と眉毛の上側に外挿され、額と頭中央部に温水が充填される。
【００６１】
前記実施形態による温浴用帽子１００においては、温水保持部１１０の厚さを厚くして、温水が側面に溢れることを防止しているが、以下では、温水が側面に溢れることを防止する別の実施形態を、図４に基づいて説明する。
【００６２】
図４において、温水保持部１１１は壷の上部のように上部が丸く窄まった略半球状であり、外挿部１２１は温水保持部１１１の開口部１０１の対向部である下部に連続し使用者の頭上部に外挿入される。また、突条部１３１は、外挿部１２１の下端部の内周面に形成される。
【００６３】
この実施形態においても、材料としては弾性を有するシリコン系樹脂を使用し、陰イオンの放出のため、トルマリン粉末又はセラミック粉末を混合して使用することができる。
【００６４】
このような構成によると、温水保持部１１１が略半球状になっているので、温水保持部１１１内の温水が側面に流れることを防止することができる。
【００６５】
また、温水保持部１１１と外挿部１２１の厚さを同一にすることで、製造工程を単純化できる効果もある。
【００６６】
本発明による温浴用帽子１００は、沐浴時に使用することが好ましいが、毒性のないシリコン系樹脂、陰イオン放出特性を有するトルマリンとセラミックからなるので、頭部の血液循環を促進するため、平常時にも着用することができる。
【００６７】
次に、本発明による温浴用帽子の製造方法を図５、図６及び図７に基づいて説明する。
【００６８】
図５は本発明による温浴用帽子の製造方法を説明するフローチャート、図６は本発明による温浴用帽子を製造するための金型を示す斜視図、図７は図６に示す金型の断面図である。
【００６９】
まず、無毒性で防水性に優れたシリコン系樹脂、トルマリン粉末、及びセラミック粉末を用意する。
【００７０】
次いで、トルマリン粉末及びセラミック粉末をシリコン系樹脂と混合して溶融させる。シリコン系樹脂の溶融は、通常の方法に従って行う。
【００７１】
また、本発明による温浴用帽子１００の製造のため、シリコン系樹脂は８３〜９４．５重量％、トルマリン粉末は５〜１０重量％、セラミック粉末は０．５〜２重量％を混合する。
【００７２】
ここで、シリコン系樹脂を８９重量％、トルマリン粉末を１０重量％、セラミック粉末を１重量％にすることが最も好ましい。
【００７３】
次いで、トルマリン粉末とセラミック粉末を混合溶融したシリコン系樹脂を液状又はゲル状に維持し、第１金型２００及び第２金型２１０により形成される円筒状の孔に注入して充填する。この際、シリコン系樹脂は１００〜２００℃に維持する。
【００７４】
これにより、図７に示すように、温水保持部１１０と外挿部１２０が一体的に形成される。
【００７５】
その後、第１金型２００と第２金型２１０間に充填されたシリコン系樹脂混合物にコア２２０を挿入する。
【００７６】
コア２２０は、図７に示すように、温水保持部１１０の厚さが外挿部１２０の厚さより大きくなるようにするため、コアの下部２２１の直径がコアの上部２２２の直径より小さく形成され、かつ外挿部１２０の内周面に突条部１３０を形成するため、コア２２０の外周面に沿って凹溝２２３が形成される。
【００７７】
その後、約８〜１０分が経過してシリコン系樹脂が硬化したら、第１金型２００と第２金型２１０を分離する。
【００７８】
次いで、成形された温浴用帽子１００からコア２２０を分離し、温浴用帽子１００の表面を加工して滑らかに処理する。
【００７９】
その際、前述したように、シリコン系樹脂は弾性を有するので、温浴用帽子１００に突条部１３０が形成されていても、コア２２０を容易に分離することができる。
【００８０】
以上、本発明の実施形態について図面を参照して説明したが、本発明は前記実施形態に限定されるものではない。
【００８１】
すなわち、前記実施形態においては、突条部１３０を外挿部１２０の内周面に一つだけ設けた構造を説明したが、防水効果を一層増大するために外挿部１２０の内周面に二重に設けてもよい。
【００８２】
また、遠赤外線の放出のため、シリコン樹脂混合物に玉石粉末又は黄土粉末を添加することもできる。
【図面の簡単な説明】
【００８３】
【図１】本発明による温浴用帽子の使用状態を示す斜視図である。
【図２】本発明による温浴用帽子の半断面斜視図である。
【図３】本発明による温浴用帽子の平面図である。
【図４】本発明のほかの実施形態による温浴用帽子の半断面斜視図である。
【図５】本発明による温浴用帽子の製造過程を示すフローチャートである。
【図６】本発明による温浴用帽子の製造のための金型を示す斜視図である。
【図７】図６の金型を示す断面図である。
【図８】従来の脱毛防止用温灸器の断面図である。
【符号の説明】
【００８４】
１００…温浴用帽子
１０１…開口部
１１０、１１１…温水保持部
１２０、１２１…外挿部
１３０、１３１…突条部
２００…第１金型
２１０…第２金型
２２０…コア
【図１】
2006006908.tif 000003
【図２】
2006006908.tif 000004
【図３】
2006006908.tif 000005
【図４】
2006006908.tif 000006
【図５】
2006006908.tif 000007
【図６】
2006006908.tif 000008
【図７】
2006006908.tif 000009
【図８】
2006006908.tif 000010